(57)【要約】【課題】カートリッジの先端とドライブ装置内の構造物との接触を避ける。【解決手段】光ディスク２と、光ディスク２を回転可能に収納するとともに、光ディスク２の一部を内外周に亘って外方に臨ませる記録及び／又は再生用開口部１３が設けられたカートリッジ本体５と、カートリッジ本体５の側面部８に移動可能に支持されて記録及び／又は再生用開口部１３を開閉するシャッタ部材１５とを備え、カートリッジ本体５は、ディスク記録及び／又は再生装置５０への挿入端が光ディスク２の中心を中心とするほぼ半円の円弧状部７とされ、該円弧状部７に挿入端７ａから下面部５ａ側にかけて傾斜面部１４が形成されている。【選択図】  図２
2005259324.tif 000002
【特許請求の範囲】
【請求項１】
ディスク状記録媒体と、
上記ディスク状記録媒体を回転可能に収納するとともに、上記ディスク状記録媒体の一部を内外周に亘って外方に臨ませる記録及び／又は再生用開口部が設けられたカートリッジ本体と、
上記カートリッジ本体の側面部に移動可能に支持されて上記記録及び／又は再生用開口部を開閉するシャッタ部材とを備え、
上記カートリッジ本体は、ディスク記録及び／又は再生装置への挿入端が上記ディスク状記録媒体の中心を中心とするほぼ半円の円弧状部とされ、該円弧状部に上記挿入端から下面部側に亘る部分に切り欠き部を設けて傾斜面部が形成されているディスクカートリッジ。
【請求項２】
上記カートリッジ本体は、上記円弧状部に上記挿入端から上面部側に亘る部分に切り欠き部を設けて傾斜面部が形成されていることを特徴とする請求項１記載のディスクカートリッジ。
【請求項３】
上記傾斜面部は、上記円弧状部の一部、又は全周に亘って形成されていることを特徴とする請求項１又は請求項２記載のディスクカートリッジ。
【請求項４】
上記シャッタ部材は、上記円弧状部が形成された側面以外の側面であって直線状に形成された側面部に支持されていることを特徴とする請求項１記載のディスクカートリッジ。
【請求項５】
ディスク状記録媒体と、上記ディスク状記録媒体を回転可能に収納してなるカートリッジ本体とを備え、上記カートリッジ本体の挿入端側が、上記カートリッジ本体に収納されたディスク状記録媒体の中心を中心とするほぼ半円の円弧状部とされているディスクカートリッジが着脱自在に装着されるディスク記録及び／又は再生装置において、
矩形状に形成され、一側面に上記ディスクカートリッジの挿脱口が設けられた装置本体を有し、
上記装置本体内には、上記ディスクカートリッジが装着され上記ディスク状記録媒体が駆動されるディスクドライブ部が設けられ、
上記ディスクドライブ部に装着されたディスクカートリッジの上記円弧状部と上記装置本体の側壁とによって構成される領域に、上記ディスクドライブ部を構成する部材の一部を配してなるディスク記録及び／又は再生装置。
【請求項６】
上記ディスクドライブ部を構成する部材は、上記装着部に装着されたディスクカートリッジをイジェクトするイジェクト機構を構成する部材である請求項５記載のディスク記録及び／又は再生装置。
【請求項７】
上記イジェクト機構は、上記装置本体に挿入されるディスクカートリッジによって移動されて上記装着部に装着されたディスクカートリッジをイジェクトするイジェクト力が蓄積される請求項６記載のディスク記録及び／又は再生装置。
【請求項８】
上記ディスクドライブ部を構成する部材は、上記ディスク状記録媒体に対し情報信号の記録及び／又は再生を行う記録及び／又は再生手段を上記ディスク状記録媒体の径方向に送り操作する送り機構を構成する部材である請求項５記載のディスク記録及び／又は再生装置。
【請求項９】
上記ディスクドライブ部を構成する部材は、上記装着部にディスクカートリッジが装着されたことを検出する検出機構を構成する部材である請求項５記載のディスク記録及び／又は再生装置。
【請求項１０】
ディスク状記録媒体と、
上記ディスク状記録媒体を回転可能に収納するとともに、上記ディスク状記録媒体の一部を内外周に亘って外方に臨ませる記録及び／又は再生用開口部が設けられたカートリッジ本体を備え、上記カートリッジ本体のディスク記録及び／又は再生装置への挿入端が上記ディスク状記録媒体の中心を中心とするほぼ半円の円弧状部とされるとともに、上記円弧状部に上記挿入端から下面部側に亘る部分に切り欠き部を設けて傾斜面部が形成されているディスクカートリッジが着脱自在に装着されるディスク記録及び／又は再生装置において、
上記ディスクカートリッジが装着され上記ディスク状記録媒体を回転駆動し、上記ディスク状記録媒体に情報信号の記録又は再生を行うディスクドライブ部と、
上記ディスクカートリッジを保持し上記ディスクドライブ部に対し回動操作されて上記ディスクカートリッジを上記ディスクドライブ部に対し着脱するカートリッジホルダとを備え、
上記ディスクドライブ部は、ディスク状記録媒体が装着されるディスク状記録媒体装着部側の一部が、上記ディスクドライブ部から離間した上昇位置に回動された状態の上記カートリッジホルダに装着されたディスクカートリッジの挿入端側に設けた切り欠き部の領域内に臨むように配置されていることを特徴とするディスク記録及び／又は再生装置。
【発明の詳細な説明】
【技術分野】
【０００１】
本発明は、光ディスク等のディスク状記録媒体を収納したディスクカートリッジ及びこのディスクカートリッジを記録媒体に用いるディスク記録再生装置に関する。
【背景技術】
【０００２】
従来、光ディスク等のディスク上記録媒体を回転可能に収納し、ディスク状記録媒体を収納したままの状態で記録及び／又は再生装置に装着されるディスクカートリッジが広く用いられている。この種のディスクカートリッジは、ディスク状記録媒体をカートリッジ本体に収納することにより、ディスク状記録媒体の保護を図るとともに、記録及び／又は再生装置への挿脱を容易に行うことを可能としている。
【０００３】
ディスクカートリッジは、ディスク状記録媒体をカートリッジ本体に収納したままの状態で記録及び／又は再生装置に装着可能とすることから、カートリッジ本体には、ディスク状記録媒体の一部を内外周に亘って外方に臨ませる記録及び／又は再生用開口部が設けられている。記録及び／又は再生装置側に設けた光ピックアップ等の記録再生用のヘッド部は、記録及び／又は再生用開口部を介してディスク状記録媒体と対向し、ディスク状記録媒体の信号記録領域を走査して情報信号の記録又は再生を行う。
【０００４】
ところで、この種のディスクカートリッジにおいては、矩形状に形成されたカートリッジ本体にディスク状記録媒体を回転可能に収納したものが広く用いられている。また、ディスクカートリッジに収納されるディスク状記録媒体にあっては、大きさをほぼ共通にしながら記録再生方式を異にするものが提供されている。このように記録再生方式を異にするディスク状記録媒体は、互換性をもって共通の記録及び／又は再生装置において記録又は再生を行うことができない場合がある。そして、大きさをほぼ共通にするディスク状記録媒体を収納したディスクカートリッジは、外形形状もほぼ共通なものとされているため、外形形状をほぼ共通にしながら、記録再生方式を異にするディスク状記録媒体を収納したディスクカートリッジが提供されている。
【０００５】
このようなディスクカートリッジにあっては、カートリッジ本体の一部に、収納したディスク状記録媒体の種類を識別するための識別部を設けたものが提供されている。この種の識別部は、ディスクカートリッジが装着される記録及び／又は再生装置に設けられたカートリッジ識別機構を用いて機械的若しくは電気的に識別可能とされているが、人の目視により直ちに識別することは困難である。
【０００６】
そこで、収納するディスク状記録媒体の種類を、収納したカートリッジ本体の外形形状により容易に判別可能としたディスクカートリッジが提案されている。この種のディスクカートリッジとして、特開平１１−３５３８４５号公報（特許文献１）に記載されたものがある。
【０００７】
図２５に示すように、特許文献１に開示されるディスクカートリッジ１００は、記録及び／又は再生装置への挿入端側となる一側面１０２側をほぼ円弧状にしたものである。このように、一側面１０２を円弧状に形成することにより、従来広く用いられている矩形状をなすディスクカートリッジとの識別を目視により容易にでき、収納したディスク状記録媒体の種類をカートリッジ本体１０１の外観から容易に識別することもできる。
【０００８】
さらに、特許文献１に記載されるディスクカートリッジ１００は、記録及び／又は再生装置への挿入端側となる一側面１０２側が円弧状に形成されているので、記録及び／又は再生装置への挿入方向が容易に識別でき、記録及び／又は再生装置への誤挿入をも確実に防止することができる。更にまた、一側面１０２が円弧状に形成されているので、矩形状に形成されたディスクカートリッジに比して小型化が実現されている。
【０００９】
【特許文献１】特開平１１−３５３８４５号公報
【発明の開示】
【発明が解決しようとする課題】
【００１０】
このようなディスクカートリッジ１００は、記録及び／又は再生装置内へ挿入されると、挿入方向の両側面１０３，１０４が記録及び／又は再生装置に形成されたカートリッジホルダ１０５に支持されながら装置本体内に搬送される。カートリッジホルダ１０５は、ディスクカートリッジ１００を記録及び／又は再生装置への挿脱をガイドするものであり、ディスクカートリッジ１００の両側面１０３，１０４を支持することにより、カートリッジ本体１０１を記録及び／又は再生装置内に設けられた各種構成部品に衝突させることなくローディング位置へ搬送する。その後、ディスクカートリッジ１００は、記録及び／又は再生用開口部を介して記録及び／又は再生装置側に設けた光ピックアップ等の記録再生用のヘッド部と対向され、ディスク状記録媒体に対して情報信号の記録又は再生が行われる。
【００１１】
ここで、このディスクカートリッジ１００においては、一側面１０２が円弧状に形成されているため、図２６に示すように、記録及び／又は再生装置内へ挿入されると、両側面１０３，１０４側がカートリッジホルダ１０５に支持される前に、一側面１０２が装置本体内に進入する。したがって、図２７に示すように、ディスクカートリッジ１００が記録及び／又は再生装置へ挿入される際にカートリッジホルダ１０５に対して平行とされず、厚さ方向に傾きながら挿入されると、一側面１０２がディスク状記録媒体を回転駆動するスピンドルモータ１０６やカートリッジホルダ１０５の上面部に衝突し、スピンドルモータ１０６やカートリッジ本体１０１が破損する場合がある。また、カートリッジ本体１０１とスピンドルモータ１０６等との衝突を回避するためにディスクカートリッジ１００の挿入領域を大きく取ると、記録及び／又は再生装置の大きさが増大し、薄型化、小型化を図ることができない。
【００１２】
そこで、本発明は、カートリッジ本体の挿入端となる一側面が円弧状に形成され小型化が図られたカートリッジ本体と記録及び／又は再生装置の構成部品との衝突を回避することができるディスクカートリッジ及びかかるディスクカートリッジを用いることにより小型化が図られたディスク記録及び／又は再生装置を提供することを目的とする。
【課題を解決するための手段】
【００１３】
上述した課題を解決するために、本発明に係るディスクカートリッジは、ディスク状記録媒体と、上記ディスク状記録媒体を回転可能に収納するとともに、上記ディスク状記録媒体の一部を内外周に亘って外方に臨ませる記録及び／又は再生用開口部が設けられたカートリッジ本体と、上記カートリッジ本体の側面部に移動可能に支持されて上記記録及び／又は再生用開口部を開閉するシャッタ部材とを備え、上記カートリッジ本体は、ディスク記録及び／又は再生装置への挿入端が上記ディスク状記録媒体の中心を中心とするほぼ半円の円弧状部とされ、該円弧状部に上記挿入端から下面部側に亘る部分に切り欠き部を設けて傾斜面部が形成されている。
【００１４】
また、本発明に係るディスク記録及び／又は再生装置は、ディスク状記録媒体と、上記ディスク状記録媒体を回転可能に収納してなるカートリッジ本体とを備え、上記カートリッジ本体の挿入端側が、上記カートリッジ本体に収納されたディスク状記録媒体の中心を中心とするほぼ半円の円弧状部とされているディスクカートリッジが着脱自在に装着されるディスク記録及び／又は再生装置において、矩形状に形成され、一側面に上記ディスクカートリッジの挿脱口が設けられた装置本体を有し、上記装置本体内には、上記ディスクカートリッジが装着され上記ディスク状記録媒体が駆動されるディスクドライブ部が設けられ、上記ディスクドライブ部に装着されたディスクカートリッジの上記円弧状部と上記装置本体の側壁とによって構成される領域に、上記ディスクドライブ部を構成する部材の一部を配してなる。
【００１５】
更に、本発明は、ディスク状記録媒体と、上記ディスク状記録媒体を回転可能に収納するとともに、上記ディスク状記録媒体の一部を内外周に亘って外方に臨ませる記録及び／又は再生用開口部が設けられたカートリッジ本体とを備え、上記カートリッジ本体のディスク記録及び／又は再生装置への挿入端が上記ディスク状記録媒体の中心を中心とするほぼ半円の円弧状部とされるとともに、上記円弧状部に上記挿入端から下面部側に亘る部分に切り欠き部を設けて傾斜面部が形成されているディスクカートリッジが着脱自在に装着されるディスク記録及び／又は再生装置において、上記ディスクカートリッジが装着され上記ディスク状記録媒体を回転駆動し、上記ディスク状記録媒体に情報信号の記録又は再生を行うディスクドライブ部と、上記ディスクカートリッジを保持し上記ディスクドライブ部に対し回動操作されて上記ディスクカートリッジを上記ディスクドライブ部に対し着脱するカートリッジホルダとを備え、上記ディスクドライブ部は、ディスク状記録媒体が装着されるディスク状記録媒体装着部側の一部が、上記ディスクドライブ部から離間した上昇位置に回動された状態の上記カートリッジホルダに装着されたディスクカートリッジの挿入端側に設けた切り欠き部の領域内に臨むように配置されている。
【発明の効果】
【００１６】
このようなディスクカートリッジによれば、ディスクカートリッジが厚さ方向に傾いて挿入された場合にも、ディスクカートリッジの円弧状部とディスクドライブ装置の内部構成部材との衝突を回避することができる。
【００１７】
また、本発明に係るディスク記録及び／又は再生装置によれば、ディスクカートリッジが装着される装着部の側壁とディスクカートリッジの円弧状部とによって構成される領域に装置本体内の構成部材を配設するスペースができる。したがって、本発明に係るディスク記録及び／又は再生装置は、かかる領域に記録及び／又は再生部を構成する部材の一部を配置することによって、装置本体のさらなる小型化を図ることができる。
【００１８】
更に、本発明に係るディスク記録及び／又は再生装置は、ディスク状記録媒体が装着されるディスク状記録媒体装着部側の一部が、ディスクドライブ部から離間した上昇位置に回動された状態のカートリッジホルダに装着されたディスクカートリッジの挿入端側に設けた切り欠き部の領域内に臨むように配置されているので、ディスクドライブ部の配置高さを抑え、装置自体の薄型化を図ることができる。
【発明を実施するための最良の形態】
【００１９】
以下、本発明が適用されたディスクカートリッジ及びディスク記録及び／又は再生装置について図面を参照しながら詳細に説明する。先ず、ディスクカートリッジについて説明する。
【００２０】
このディスクカートリッジ１は、図１に示すように、ディスク状記録媒体として、例えば、光ディスク２を回転可能に収納したものであって、図１及び図２に示すように、上下一対のハーフ２，３を突き合わせ結合したカートリッジ本体４を備え、このカートリッジ本体４内に光ディスク２を回転可能に収納している。
【００２１】
本発明に係るディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
【００２２】
光ディスク２を収納するカートリッジ本体５を構成する上下ハーフ３，４は、合成樹脂材料を成形して形成され、外周囲に立ち上がり周壁３ａ，４ａが形成されている。上下ハーフ３，４は、各立ち上がり周壁３ａ，４ａを突き合わせて結合されることにより、内部にディスク収納部６を構成してカートリッジ本体５を構成する。なお、上下ハーフ３，４は、これら上下ハーフ３，４の立ち上がり周壁３ａ，４ａの突き合わせ面及び上下ハーフ３，４の相対向する内面に突設した溶着用突起を超音波溶着法等の溶着法を用いて結合することによりカートリッジ本体５を構成する。
【００２３】
このディスクカートリッジ１を構成するカートリッジ本体５は、図１乃至図３に示すように、このディスクカートリッジ１が挿脱されるディスクドライブ装置５０への挿入端側となる一側面である前面を円弧状部７として形成している。この円弧状部７は、図３に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００２４】
また、円弧状部７は、カートリッジ本体５の挿入方向の先端領域７ａ側からカートリッジ本体５を構成する下ハーフ４側に亘る部分を切り欠くようにして切り欠き部を設けることによって傾斜面部１４が設けられている。このカートリッジ本体５は、挿入方向の先端に向かうにつれて厚さが薄くなっている。これにより、本発明に係るディスクカートリッジ１は、図４に示すように、カートリッジ本体５が後述するディスクドライブ装置５０内に挿入される際に、円弧状部７とスピンドルモータやターンテーブル等の装置本体５１内の構成部材との衝突を防止することができる。
【００２５】
すなわち、ディスクカートリッジ１は、ディスクドライブ装置５０内に挿入される際、図５に示すように、カートリッジ本体５の両側面８，９側の部分がディスクドライブ装置５０のカートリッジホルダ５４に支持される前に、挿入方向の先端側である円弧状部７が装置本体５１内に進入される。したがって、カートリッジ本体５がカートリッジホルダ５４に対して厚さ方向に傾いて挿入されると、円弧状部７がスピンドルモータ等に衝突するおそれがある。本発明に係るディスクカートリッジ１は、円弧状部７の先端領域７ａ側からカートリッジ本体５を構成する下ハーフ４側に亘る部分に切り欠き部が設けられて傾斜面部１４が形成されているため、装置本体５１内の構成部材との衝突を回避できる。なお、さらにカートリッジ本体５が装置本体５１内に挿入されると、両側面８，９側部分がカートリッジホルダ５４に支持されるため、カートリッジ本体５はカートリッジホルダ５４と平行に挿入され、装置本体５１内の構成部材と衝突することはない。
【００２６】
以上のような構成を備えることにより、ディスクカートリッジ１の円弧状部７と装置本体５１内の構成部材との衝突を防止するために、ディスクドライブ装置５０のカートリッジ本体５の搬送領域をスピンドルモータ等の構成部材から離間させるように厚さ方向に大きくとる必要がなく、装置本体５１の小型化、薄型化を図ることができる。
【００２７】
なお、ディスクカートリッジ１は、挿入方向の先端部をカートリッジ本体５に収納された光ディスク２の半円に相当する円弧状部７として形成したことから、矩形状のディスクカートリッジに比してカートリッジ本体の面積が小さく、ディスクドライブ装置５０内に装着されたときにも、装置本体５１内に各種構成部材を配置するスペースを形成することができる。詳しくは後述する。
【００２８】
カートリッジ本体５の円弧状部７に連続する相対向する側面は、互いに平行な側面８，９として形成され、円弧状部７と対向する背面は、なだらかに湾曲して連続した湾曲部１０として形成されている。
【００２９】
本発明に係るディスクカートリッジ１は、挿入端側となる一の側面である前面を他の面に比し大きく湾曲したほぼ半円の円弧状部７としているので、カートリッジ挿脱口を介してスロットイン方式により挿脱が行われるディスクドライブ装置５０へ挿入を行う際、ディスクドライブ装置５０内への挿入方向が容易に判別できる。特に、掌内に収納できる程度に小型化したディスクカートリッジ１にあっては、手で握った感覚でも挿入方向の識別を行うことができるので、誤挿入を防止して正確にディスクドライブ装置５０に装着することも可能となる。しかも、このディスクカートリッジ１は、後述するように、スロットイン方式のディスクドライブ装置５０へ挿入操作が容易となるばかりか、確実な挿入操作を実現できる。
【００３０】
なお、本発明が適用されたディスクカートリッジ１は、挿入端側をほぼ半円の円弧状部７とし、加えて円弧状部７と対向する背面も湾曲部１０としているので、収納する光ディスク２に対し一層の小型化が実現されている。
【００３１】
カートリッジ本体５の下面側を構成する下ハーフ４の中央部には、図２及び図３に示すように、カートリッジ本体５に収納した光ディスク２の中心部に形成したセンター穴１１及びその周縁を外方に臨ませる円形の中央開口部１２が形成されている。中央開口部１２には、ディスクカートリッジ１が装着されるディスクドライブ装置５０側に設けられたディスク回転駆動機構の一部、例えばターンテーブルが進入する。
【００３２】
カートリッジ本体５の下面側を構成する下ハーフ４には、図２及び図３に示すように、記録及び／又は再生用開口部であるヘッド部用開口部１３が形成されている。ヘッド部用開口部１３は、カートリッジ本体５の一方の側面８に位置し、カートリッジ本体５に収納された光ディスク２の信号記録領域の一部を内外周に亘って外方に臨ませるに足る大きさの矩形状に形成されている。すなわち、ヘッド部用開口部１３は、カートリッジ本体５の円弧状部７が形成された前面以外の直線状の平坦な面とされた側面８に臨んで形成されている。
【００３３】
本発明が適用されたディスクカートリッジ１は、ヘッド部用開口部１３を開閉するシャッタ部材１５が移動可能に取り付けられている。このシャッタ部材１５は、薄い金属板を打ち抜き折り曲げて形成され、若しくは合成樹脂材料を成形することにより形成されている。また、シャッタ部材１５は、ヘッド部用開口部１３を閉塞するに足る大きさの矩形状に形成された平板状のシャッタ部１６と、シャッタ部１の基端部側に形成された断面コ字状に形成された支持部１７とを備える。
【００３４】
そして、シャッタ部材１５は、カートリッジ本体５を構成する上ハーフ３側を支持部１７により支持することにより、ヘッド部用開口部１３を開閉する図２中矢印Ａ方向又は矢印Ｂ方向に移動可能に支持されている。すなわち、シャッタ部材１５は、図６に示すように、上ハーフ３に形成された立ち上がり周壁３ａの一部を持って構成されたスライドガイド部１８を支持部１７により支持してカートリッジ本体５に移動可能に取り付けられている。
【００３５】
そして、シャッタ部材１５に設けられた支持部１７には、図６及び図７に示すように、シャッタ部１６の基端部から垂直に立ち上がり形成された連結片２１が形成され、この連結片２１の先端部にシャッタ部１６側に向かって折り曲げられた第１の係合片２２が設けられている。また、連結片２１には、シャッタ部材１５の移動方向下流側に、第１の係合片２２が形成された部分より一段低い位置でＬ字状に折り曲げられた第２の係合片２３が設けられている。この第２の係合片２３は、先端部側が第１の係合片２２側に突出するようにＬ字状に折り曲げられた折り曲げ部２３ａが形成されている。
【００３６】
また、連結片２１は、シャッタ部材１５の移動方向上流側に、後述する捩りコイルバネ２９の係止部３３が係止される係止孔２７が形成されたコイルバネ取付片２６が設けられている。コイルバネ取付片２６は、シャッタ部１６側に向かって延設されるとともに一部が開放された略円形の係止孔２７が形成されている。また、コイルバネ取付片２６は、第２の係合片２３と同様に、先端部側が第１の係合片２２側に突出するようにＬ字状に折り曲げられた折り曲げ部２６ａが形成されている。
【００３７】
この係止孔２７には、後述する捩りコイルバネ２９の第１のアーム部２９ａに形成された係止部３３が開放端より挿入されることにより係止され、シャッタ部材１５と捩りコイルバネ２９とが連結される。
【００３８】
このシャッタ部材１５は、図２に示すように、シャッタ部１６をヘッド部用開口部１３上に延在するようにカートリッジ本体５に配設される。このとき、シャッタ部材１５は、図８及び図９に示すように、支持部１７に設けた第１の係合片２２をスライドガイド部１８の側面に形成した係合溝２４に係合させるとともに、第２の係合片２３及びコイルバネ取付片２６にＬ字状に折り曲げ形成された折り曲げ部２３ａ及び２６ａをスライドガイド部１８の先端側に係合させることにより、第１及び第２の係合片２２，２３及びコイルバネ取付片２６によって支持部１７を挟み込むように支持する。このように支持されたシャッタ部材１５は、支持部１７にガイドされ、ヘッド部用開口部１３を開閉する図２中矢印Ａ方向又は矢印Ｂ方向に移動する。
【００３９】
なお、図２に示すように、下ハーフ４のシャッタ部１６が移動する領域には、凹状のシャッタスライド部１９が形成されている。シャッタスライド部１９は、シャッタ部１６をカートリッジ本体５の表面から突出させないに足る深さをもって形成されている。
【００４０】
また、本発明に係るディスクカートリッジ１において、下ハーフ４に形成された立ち上がり周壁４ａのヘッド部用開口部１３と対向する部分には、図６及び図９に示すように、切り欠き部２５が形成されて開放されている。すなわち、ヘッド部用開口部１３は、カートリッジ本体５の内周側から外周縁に亘る領域が開放されて形成されている。
【００４１】
また、上ハーフ３側に形成されたスライドガイド部１８の少なくともヘッド部用開口部１３と対向する部分は、ディスクドライブ装置５０内のディスクドライブ部７０に高さ方向の位置決めが図られて装着されたディスクカートリッジ１内の光ディスク２がターンテーブル上に位置決めして装着されたとき、図９に示すように、この光ディスク２の下ハーフ４と対向する下面２ａから突出しない高さＨ１として形成されている。
【００４２】
このように形成されたディスクカートリッジ１は、シャッタ部材１５が移動されてヘッド用開口部１３が開放されたとき、光ディスク２に記録された情報信号を読み出すヘッド部である光ピックアップの全体をカートリッジ本体５内に位置させるばかりか、光ピックアップが光ディスク２の外周側を走査する位置に移動されたとき、後述するように、光ディスク２の信号記録領域を走査する光ビームを集光する対物レンズをカートリッジ本体５内に位置させながら、その他の光学ブロック部分をカートリッジ本体５の外方に位置させることができる。
【００４３】
その結果、本発明に係るディスクカートリッジ１は、光ピックアップを光ディスク２に近接させながら、カートリッジ本体５の内外に亘って位置させることができるので、光ディスク２の外周縁まで信号記録領域を形成することができ、光ディスク２に記録される記録容量を増大させることができる。更に、光ピックアップを光ディスク２に近接させることができることから、対物レンズの開口数（ＮＡ）を大きくでき、光ディスク２の信号記録領域に集光される光ビームのビームスポットを小さくできるので、光ディスク２に記録される情報信号の記録密度を向上できる。更にまた、記録容量の増大とともに記録密度の向上が実現できることから、一定量の記録容量を必要とする光ディスク２の小径化が実現できる。更にまた、光ピックアップをカートリッジ本体５の内外に亘るように位置させて光ディスク２の走査ができるので、カートリッジ本体５の小型化を実現でき、このディスクカートリッジ１を用いるディスクドライブ装置５０の小型化も実現可能となる。
【００４４】
また、本発明に係るディスクカートリッジ１において、ヘッド部用開口部１３を開閉するシャッタ部材１５は、図１及び図２に示すように、カートリッジ本体５の平坦な側面８に沿って移動するように取り付けられている。したがって、シャッタ部材１５は、支持部１７を平坦な側面８に沿わせながら直線移動されるので、安定した移動操作が実現される。
【００４５】
さらに、ヘッド部用開口部１３は、カートリッジ本体５の平坦な側面８に対向する位置に形成されているので、下ハーフ４側に形成される切り欠き部２５が形成された部分も直線状の面とされている。したがって、切り欠き部２５が形成され、カートリッジ本体５の外方に臨む側面８の側が開放されたヘッド部用開口部１３であっても、全体が矩形状に形成され、直線状の断面コ字状をなす支持部１７を備えたシャッタ部材１５により確実に閉塞することができる。
【００４６】
次いで、シャッタ部材１５のヘッド部用開口部１３の開閉方向への確実な移動を実現し、更に、シャッタ部材１５をヘッド部用開口部１３を開放した位置又は閉塞した位置に確実に保持する捩りコイルバネ２９について説明する。この捩りコイルバネ２９は、一端をシャッタ部材１５に係止されるとともに他端をカートリッジ本体５に回動自在に係合されている。そして、捩りコイルバネ２９は、シャッタ部材１５のカートリッジ本体５に対する移動位置に応じて、シャッタ部材１５をヘッド部用開口部１３を開放する方向又は閉塞する方向に回動付勢する。
【００４７】
この捩りコイルバネ２９は、図１０中の（ａ）及び（ｂ）に示すように、中間部に設けられた第１のコイル部３０を介して、シャッタ部材１５に係止される第１のアーム部２９ａと、カートリッジ本体５の一部に支持される第２のアーム部２９ｂが形成されている。
【００４８】
第１のコイル部３０は、複数回巻回されることにより所定の厚みを有して形成され、厚さ方向の一端側３０ａより第１のアーム部２９ａが延設され、厚さ方向の他端側３０ｂより第２のアーム部２９ｂが延設されている。第１のコイル部３０の線径、巻数、自由角度は、様々な設計が可能であるが、最適な値をとる捩りコイルバネを選定する。
【００４９】
この第１のコイル部３０より延設される第１のアーム部２９ａは、先端部にシャッタ部材１５に係止される係止部３３が形成されている。係止部３３は、第１のアーム部２９ａの先端部から延設される延設部３３ａと、この延設部３３ａの延設方向より第１のコイル部３０の巻方向へ略直角に折り曲げられる立ち上がり部３３ｂと、立ち上がり部３３ｂの先端がさらに第１のアーム部２９ａと略平行に折り曲げられる折り曲げ部３３ｃとからなり、全体を略コ字状に形成されている。係止部３３の折り曲げ部３３ｃは、第１のアーム部２９ａの延設方向から所定の角度θ１を有して折り曲げられている。この係止部３３は、立ち上がり部３３ｂをシャッタ部材１５のコイルバネ取付片２６の先端に穿設した係止孔２７に開放端より挿入、係止させることにより捩りコイルバネ２９をシャッタ部材１５に支持させる。
【００５０】
ここで、係止部３３の折り曲げ部３３ｃは、第１のアーム部２９ａの延設方向から所定の角度θ１を有して折り曲げられているため、シャッタ部材１５が開閉動作されたときにも、係止部３３の係止孔２７からの抜け止めが図られている。すなわち、図１１に示すように、捩りコイルバネ２９は、係止部３３の先端が折り曲げられることにより、折り曲げ部３３ｃがコイルバネ取付片２６の下面側に延設される。したがって、シャッタ部材１５の開閉動作中に捩りコイルバネ２９が図１１中矢印Ｈ方向に揺動され、又はシャッタ部材１５が図１１中矢印Ｉ方向に揺動された場合にも、係止部３３の折り曲げ部３３ｃがコイルバネ取付片２６の下面部に当接するため、捩りコイルバネ２９とシャッタ部材１５との
係合が外れることを防止することができる。
【００５１】
捩りコイルバネ２９の第２のアーム部２９ｂは、図１０に示すように、捩りコイルバネ２９をカートリッジ本体５に回動自在に係合させる第２のコイル部３１が形成されている。この第２のコイル部３１は、上記第１のコイル部３０と巻方向を逆にして複数回巻回されることにより、第１のコイル部３０の厚さ方向の一端側３０ａに向かって形成されている。そして、第２のコイル部３１は、カートリッジ本体５の内面に突設した支持ピン４２に回転自在に取り付けられている（図１２参照）。なお、第２のコイル部３１は、上記第１のコイル部３０と同様に、線径、巻数、自由角度は様々な設計が可能であるが、最適な値をとる捩りコイルバネを選定する。
【００５２】
この捩りコイルバネ２９は、第１のコイル部３０と第２のコイル部３１とが巻方向を互いに逆にして複数回巻回されて形成されているため、捩りコイルバネ２９全体の厚みを抑え、カートリッジ本体５の薄型化を図ることができる。すなわち、コイル部を複数備えた捩りコイルバネにおいて、各コイル部の巻方向を同一方向に形成すると、第２のコイル部３１は第１のコイル部の他端側３０ｂの位置からさらに第１のコイル部３０の厚さ方向の他端側３０ｂに向かって巻回されるため、第１のコイル部３０の厚さに第２のコイル部３１の厚さが加わることによりバネ全体の厚さが増してしまい、捩りコイルバネを収納するカートリッジ本体の厚さが増してしまう。また、このようなディスクカートリッジが挿脱されるディスクドライブ装置の厚さも増大する。
【００５３】
しかし、この捩りコイルバネ２９によれば、第１のコイル部３０と第２のコイル部３１とが互いに巻方向が逆とされることにより、第２のコイル部３１は第１のコイル部３０の一端側３０ａに向かって巻回され、バネ全体の厚さを第１又は第２のコイル部３０，３１のいずれかの厚さに抑えることができる。
【００５４】
この捩りコイルバネ２９は、図１２に示すように、シャッタ部材１５がヘッド部用開口部１３を開放する方向に移動する側に位置して配設されている。すなわち、捩りコイルバネ２９は、シャッタ部材１５がヘッド部用開口部１３を閉塞する位置から開放する位置に向かう上流側に位置して配設されている。
【００５５】
ところで、シャッタ部材１５の移動方向の上流側は、ヘッド部用開口部１３から離間する方向であるので、この上流側に捩りコイルバネ２９を配設することにより、ヘッド用開口部１３を開放したとき、ヘッド部用開口部１３に捩りコイルバネ２９が突出するようなことが防止でき、ヘッド部用開口部１３を大きく開口できる。
【００５６】
更に、本発明に係るディスクカートリッジ１において、シャッタ部材１５の移動方向の上流側は、ディスクドライブ装置５０への挿入端とは反対側の背面側のコーナ部であり、余裕ある空間として構成できるので、捩りコイルバネ２９を効率よくカートリッジ本体５内に配置できる。
【００５７】
この捩りコイルバネ２９は、シャッタ部材１５がヘッド部用開口部１３を閉塞する位置にあるときには、ヘッド部用開口部１３を閉塞した状態を維持するように図１２中矢印Ｂ方向に付勢している。ディスクカートリッジ１がディスクドライブ装置５０に挿入され、カートリッジホルダによりローディングされると、シャッタ部材１５は、ディスクドライブ装置５０側に形成されたシャッタ開放操作片６３がカートリッジ本体５の側面８に形成されたガイド溝４９に進入し、シャッタ部材１５の連結片２１にシャッタ部材１５の移動方向下流側から当接されることにより挿入方向への移動が規制され、ディスクドライブ装置５０内へローディングされていくカートリッジ本体５に対し相対的にヘッド部用開口部１３を開放する方向の図１２中矢印Ａ方向に移動していく。これにより捩りコイルバネ２９は、第２のコイル部３１が回動自在に係合されている支持ピン４２を回動支点として、固定されていない中心部に形成した第１のコイル部３０の位置がシャッタ部材１５の移動方向の矢印Ａ方向に移動していく。捩りコイルバネ２９は、第１のコイル部３０が更に矢印Ａ方向に移動し、シャッタ部材１５の移動方向側に位置する支持ピン４２の位置を超えると付勢方向が反転される。捩りコイルバネ２９は、付勢方向が反転されると、シャッタ部材１５を図１３中矢印Ａ方向に移動するように付勢し、ヘッド部用開口部１３を開放する方向の矢印Ａ方向に移動してヘッド部用開口部１３を開放した位置に保持する。
【００５８】
シャッタ部材１５がヘッド部用開口部１３を開放した位置に保持されたディスクカートリッジ１をディスクドライブ装置５０から取り出すイジェクト操作を行うと、シャッタ部材１５は、上述した挿入動作と逆の動作をもってカートリッジ本体５に対し相対的に図１３中矢印Ｂ方向に移動していき、中心の第１のコイル部３０も同方向の矢印Ｂ方向に移動していく。捩りコイルバネ２９は、シャッタ部材１５が更に矢印Ｂ方向方向に移動し、第１のコイル部３０がシャッタ部材１５の移動方向側に位置する支持ピン４２の位置を超えると付勢方向が反転される。捩りコイルバネ２９は、付勢方向が反転されると、シャッタ部材１５を図１２中矢印Ｂ方向に移動するように付勢し、ヘッド部用開口部１３を閉塞する方向に移動してヘッド部用開口部１３を閉塞した位置に保持する。
【００５９】
このように捩りコイルバネ２９により付勢されたシャッタ部材１５は、ヘッド部用開口部１３を閉塞した位置及び開放した位置のそれぞれの位置に捩りコイルバネ２９の付勢力を受けて支持されるので、確実にヘッド部用開口部１３を閉塞し又は開放した状態を維持できる。
【００６０】
このシャッタ部材１５の開閉動作時において、捩りコイルバネ２９とシャッタ部材１５とは、捩りコイルバネ２９の第１のアーム２９ａに形成された係止部３３の先端が折り曲げられることにより、折り曲げ部３３ｃがコイルバネ取付片２６の下面側に延設されているため、シャッタ部材１５の開閉動作中に捩りコイルバネ２９が図１１中矢印Ｈ方向に揺動された場合にも、係止部３３の折り曲げ部３３がコイルバネ取付片２６の下面部に当接するため、捩りコイルバネ２９とシャッタ部材１５との係合が外れることが防止される。
【００６１】
一方、このディスクカートリッジ１を用いるディスクドライブ装置５０には、付勢部材の付勢力に抗してシャッタ部材１５をヘッド部用開口部１３を開放した位置に保持するための機構を設ける必要がないので、ディスクドライブ装置５０の機構の簡素化が図られ、装置自体の小型化を実現することができる。
【００６２】
更に、このディスクカートリッジ１によれば、シャッタ部材１５がカートリッジ本体５に設けたヘッド部用開口部１３に対する位置に応じて、捩りコイルバネ２９によりヘッド用開口部１３を開放する方向又は閉塞方向に移動されるので、ディスクカートリッジ１のディスクドライブ装置５０への挿脱に関連してヘッド部用開口部１３を確実に開放し又は閉塞することができる。
【００６３】
更にまた、このディスクカートリッジ１によれば、シャッタ部材１５が捩りコイルバネ２９によりヘッド部用開口部１３を開放した側に移動付勢されるので、シャッタ部材１５をヘッド部用開口部１３を開放した位置に移動させるためにオーバーストローク分を設ける必要がなくなり、シャッタ部材１５の移動領域が小さくて済み、ディスクカートリッジ１自体の小型化を実現できる。
【００６４】
なお、ディスクカートリッジ１は、シャッタ部材１５が取り付けられたカートリッジ本体５の一方の側面８には、図１、図８に示すように、ディスクドライブ装置５０側に設けられたシャッタ解放操作片６３が進入するガイド溝４９が設けられている。
【００６５】
カートリッジ本体５の下面側であって、湾曲部１０とされた背面側の両側には、図２及び図３に示すように、ディスクドライブ装置５０側に設けた位置決めピンが係合する第１及び第２の位置決め孔４３，４４が設けられている。なお、第２の位置決め孔４４は、位置決めピンの係合位置を調整するため、シャッタ部材１５の移動方向と直交する幅方向を長径とする長孔として形成されている。
【００６６】
また、カートリッジ本体５の円弧状部７の相対向する側面８，９側には、図１及び図２に示すように、このディスクカートリッジ１が装着されるディスクドライブ装置５０側に設けられるカートリッジローディング機構の一部が係合するローディング用の係合凹部４５，４６が設けられている。
【００６７】
更にまた、カートリッジ本体５の円弧状部７の他方の側面９側に位置する部分には、図２に示すように、ディスクドライブ装置５０側に設けられるイジェクト機構の一部が係合するイジェクト用の係合凹部４７が設けられている。
【００６８】
更にまた、カートリッジ本体５の側面８，９、あるいは底面には、収納される光ディスク２の種類を識別するための識別孔や識別凹部が必要に応じて設けられる。
【００６９】
以上のような構成を備えるディスクカートリッジ１は、上下ハーフ３，４がポリカーボネート等を用いて射出成形等によって形成された後、光ディスク２及び捩りコイルバネ２９を所定の位置に収納し、上下ハーフ３，４を突き合わせ結合した後、シャッタ部材１５をはめ込むことにより形成される。
【００７０】
次に、上述したディスクカートリッジ１に収納された光ディスク２に対して情報信号の記録及び／又は再生を行うディスクドライブ装置の一例を説明する。
【００７１】
本発明に係るディスクカートリッジ１は、例えばテレビジョンゲームを実行するプログラムデータやビデオデータが記録された光ディスク２が収納される。そこで、この種の光ディスク２を収納した本発明に係るディスクカートリッジ１を用いるディスクドライブ装置５０としては、図１４に示すように、ディスクカートリッジ１が装着され、少なくとも光ディスク２に記録されたデータを再生する後述するディスクドライブ部７０を内蔵した装置本体５１と、光ディスク２から再生された画像データや文字データを表示するディスプレイ部５２を備えたディスクドライブ装置５０が用いられる。
【００７２】
図１４に示すディスクドライブ装置５０は、ディスクドライブ部７０を内蔵した装置本体５１内には、図示はしないが、ディスクカートリッジ１をディスクドライブ部７０に装着するためのカートリッジホルダ５４を備えたカートリッジローディング機構が設けられている。装置本体５１の一側面を構成する前面には、カートリッジホルダ５４に対しディスクカートリッジ１を挿入し、カートリッジホルダ５４に装着されたディスクカートリッジ１をイジェクトするためのカートリッジ挿脱口５３が設けられている。カートリッジ挿脱口５３は、ディスクカートリッジ１の挿脱を行うに足る大きさの開口部として形成され、ここに挿入されるディスクカートリッジ１の幅Ｗ１よりわずかに大きい幅Ｗ２を有し、ディスクカートリッジ１の厚さＴ１よりわずかに大きな高さＨ２を有する矩形状に形成されている。装置本体５１内には、カートリッジ挿脱口５３に対向してカートリッジホルダ５４が配設されている。
【００７３】
装置本体５１の前面側の一側には、カートリッジホルダ５４に保持されたディスクカートリッジ１をイジェクト操作するためのイジェクトボタン５５が設けられている。
【００７４】
装置本体５１の上面の一方の側には、例えばテレビジョンゲームを実行する際に用いられる制御スイッチの操作ボタン５６，５７が設けられ、他方の側には、ディスプレイ部５２に表示される画像をスクロールするための制御キー５８が設けられ、更に、光ディスク２から再生されるオーディオ信号を放射するスピーカ５９が設けられている。
【００７５】
装置本体５１には、図示は省略するが、ディスクドライブ部７０を制御するための再生ボタン等の制御ボビンや電源スイッチ操作ボタン等が設けられている。
【００７６】
ディスプレイ部５２は、装置本体５１のカートリッジ挿脱口５３が設けられた前面側とは反対側の背面側に位置して、ヒンジ機構６０を介して装置本体５１に対し回動可能に取り付けられている。ディスプレイ部５２は、装置本体５１側に回動されることにより、装置本体５１の上面に重ね合わせられる。ディスプレイ部５２は、液晶表示パネルを用いて構成されている。
【００７７】
次いで、装置本体５１内に挿入されたディスクカートリッジ１が装着され、装置本体５１内に内蔵され光ディスク２に記録されたデータを再生するディスクドライブ部７０について説明する。ディスクドライブ部７０は、図１５に示すように、ディスクカートリッジ１内に収納されている光ディスク２を回転駆動するディスク回転駆動機構７１と、光ディスク２に対して情報信号の記録及び／又は再生を行う光ピックアップ部７２と、ディスクカートリッジ１を装置本体５１外へ排出するイジェクト機構７３等が配設されている。また、ディスクドライブ部７０には、ディスクカートリッジ１をディスクドライブ部７０に対して垂直方向及び水平方向に位置決めするための複数の位置決め突起が設けられている。
【００７８】
ディスク回転駆動機構７１は、駆動源となるスピンドルモータ７５、このスピンドルモータ７５のスピンドルに設けられ、光ディスク２の中央に設けられたクランピングプレートを磁気吸引するディスクテーブル７６等を有している。また、光ピックアップ部７２は、光源となる半導体レーザ、光ディスク２の信号記録面に半導体レーザより出射された光ビームを集光する対物レンズ、光ディスク２の信号記録面で反射された戻りの光ビームを検出する光検出器等を備える。この光ピックアップ部７２は、モータを駆動源とするスレッド機構によって、光ディスク２の径方向に移動される。
【００７９】
ディスクカートリッジ１に収納された光ディスク２は、ディスク回転駆動機構７１により回転されると、光ピックアップ部７２より半導体レーザから出射された光ビームが対物レンズによって集光され照射される。光ピックアップ部７２は、光ディスク２の信号記録面で反射された戻りの光ビームを光検出器で検出することによって、光ディスク２に記録されている情報信号を再生するとともに、トラッキングエラー信号、フォーカスエラー信号、アドレス信号等を抽出する。情報信号の再生時は、光ピックアップ部７２の光検出器で検出されたＲＦ信号をデコードすることによって、静止画像データ、映像データ、プログラム等の情報信号を再生し表示部に表示するとともに、静止画像データ、映像データ、プログラム等に関連した音声信号、オーディオデータ等を可聴音に変換して出力する。
【００８０】
ディスクカートリッジ１をディスクドライブ装置５０から排出するイジェクト機構７３は、ディスクカートリッジ１の挿入方向に回動自在に配設された排出レバー７８と、排出レバー７８の回動を規制する規制レバー７９と、排出レバー７８をディスクカートリッジ１の排出方向へ付勢する図示しない付勢部材とを有する。イジェクト機構７３は、ディスクカートリッジ１が排出された状態においては、付勢部材によって排出レバー７８が排出方向に回動され、ディスクカートリッジ１の挿入を待機している。排出レバー７８は、ディスクカートリッジ１が挿入されると、カートリッジ本体５の前面に設けられた円弧状部７に押圧され、付勢部材の付勢力に対抗してディスクカートリッジ１の挿入方向の先端側に回動される。また排出レバー７８は、規制レバー７９によって排出方向への回動が規制され、ディスクカートリッジ１をディスクドライブ部７０内に保持する。
【００８１】
規制レバー７９は、イジェクトボタン５５が操作されると排出レバー７８の規制を解除し回動自在とする。これにより排出レバー７８は、付勢部材の付勢力によってディスクカートリッジ１の排出方向へ回動され、ディスクカートリッジ１を装置本体５１外へ排出する。
【００８２】
このイジェクト機構７３は、ディスクドライブ部７０のディスクカートリッジ１の挿入方向の先端側コーナ部７０ａに配設されている。すなわち、ディスクドライブ部７０は、ディスクカートリッジ１がカートリッジ本体５の前面に光ディスク２の半円に相当する部分と対向するような半円として形成された円弧状部７が設けられているため、カートリッジ本体５の円弧状部７とディスクドライブ部７０の先端側コーナ部７０ａの側壁とによって構成される領域Ｒに装置本体５１内の構成部材を配設するスペースができる。そこで、ディスクカートリッジ１のディスクドライブ装置５０においては、このカートリッジ本体５の円弧状部７とディスクドライブ部７０の先端側コーナ部７０ａの側壁とによって構成される領域Ｒに、ディスクカートリッジ１を装置本体５１外へ排出するイジェクト機構７３を配設している。
【００８３】
この点、カートリッジ本体を矩形状に形成したディスクカートリッジのディスクドライブ装置によれば、ディスクカートリッジの挿入方向の先端側コーナ部にカートリッジ本体のコーナ部が位置するため、イジェクト機構等の構成部材を配設することができない。そのため、イジェクト機構等の構成部材はディスクドライブ部以外の領域に配設することとなり、装置全体の大型化に繋がってしまう。
【００８４】
しかし、本発明が適用されたディスクドライブ装置５０によれば、カートリッジ本体を矩形状に形成したディスクカートリッジのディスクドライブ装置と比して、ディスクカートリッジ１の挿入方向の先端側コーナ部７０ａの側壁とカートリッジ本体５の円弧状部７とによって構成される領域Ｒをディスクドライブ装置５０側に構成部材の領域として活用することができ、装置全体の小型化、薄型化に資することができる。
【００８５】
なお、かかる領域Ｒには、ディスクカートリッジ１のイジェクト機構７３の他、光ピックアップ機構７２を光ディスク２の径方向に送り操作する送り機構やディスクドライブ部７０部にディスクカートリッジ１が装着されたことを検出する検出機構を配設するようにしてもよい。
【００８６】
また、上述したように、ディスクカートリッジ１の円弧状部７に傾斜面部１４を設けたことにより、カートリッジ本体５１がカートリッジホルダ５４に対して平行に挿入されない場合にも、カートリッジ本体５１の円弧状部７がスピンドルモータ７５等の構成部材との衝突が回避されている。したがって、ディスクドライブ装置５０は、ディスクカートリッジ１の円弧状部７と装置本体５１内の構成部材との衝突を防止するために、ディスクドライブ装置５０のカートリッジ本体５の搬送領域をスピンドルモータ７５等の構成部材から離間させるように厚さ方向に大きくとる必要がなく、装置本体５１の小型化、薄型化を図ることができる。
【００８７】
次に、上述のような構成を備えたディスクドライブ装置５０に本発明に係るディスクカートリッジ１を装着する状態を説明する。
【００８８】
ディスクカートリッジ１をディスクドライブ装置５０に装着するには、図１４に示すように、円弧状部７が形成された先端側を挿入端としてカートリッジ挿脱口５３から装置本体５１内に挿入され、カートリッジホルダ５４に保持される。
【００８９】
ところで、本発明に係るディスクカートリッジ１は、カートリッジ挿脱口５３への挿入端側がほぼ半円の円弧状部７として形成されているので、カートリッジ挿脱口５３の幅方向の中心線Ｐ１に対し幅方向の中心線Ｐ２を大きく傾斜して挿入した場合でも、円滑にカートリッジ挿脱口５３に挿入し、確実にカートリッジホルダ５４に保持できる。
【００９０】
すなわち、挿入端がほぼ半円の円弧状部７とされたディスクカートリッジ１は、図１６又は図１７に示すように、カートリッジ挿脱口５３の幅方向の中心線Ｐ１に対し幅方向の中心線Ｐ２を左右のいずれかの方向に４５度程度まで傾斜した状態でカートリッジ挿脱口５３に挿入された場合であっても、半円の円弧状部７側を大きく装置本体５１に挿入できる。このとき、ディスクカートリッジ１は、カートリッジ挿脱口５３への挿入途中にカートリッジ挿脱口５３のいずれか一方の側面に当接する円弧状部７の一部を中心にして、図１８に示すように、各中心線Ｐ１，Ｐ２を一致させる方向に回転して容易に姿勢を正しくすることができる。このように、本発明に係るディスクカートリッジ１は、カートリッジ挿脱口５３に対する挿入方向が大きく変位しても、確実にカートリッジホルダ５４への装
着が可能となる。
【００９１】
また、ディスクカートリッジ１は、ディスクドライブ装置５０内に挿入される際、カートリッジ本体５の両側面８，９がディスクドライブ装置５０のカートリッジホルダ５４に支持される前に、挿入方向の先端側である円弧状部７が装置本体５１内に進入される。このとき、カートリッジ本体５がカートリッジホルダ５４に対して厚さ方向に傾いて挿入されると、円弧状部７がスピンドルモータ７５等に衝突するおそれがある。しかし、本発明が適用されたディスクカートリッジ１は、円弧状部７の先端領域７ａにカートリッジ本体５の下面部５ａにかけて傾斜面部１４が形成されているため、装置本体５１内の構成部材との衝突を回避できる（図４参照）。なお、さらにカートリッジ本体５が装置本体５１内に挿入されると、両側面８，９がカートリッジホルダ５４に支持されるため、カートリッジ本体５はカートリッジホルダ５４と平行に挿入され、装置本体５１内の構成部材と衝突することはない。
【００９２】
カートリッジホルダ５４に挿入されたディスクカートリッジ１は、更にカートリッジホルダ５４内に挿入されることにより、シャッタ部材１５がカートリッジ本体５に対し相対移動され、ヘッド部用開口部１３が開放される。すなわち、図１８に示すように、ディスクカートリッジ１がカートリッジホルダ５４の途中まで挿入されると、カートリッジホルダ５４内に設けられたシャッタ開放操作片６３が、カートリッジ本体５の一方の側面８に形成したガイド溝４９に進入しシャッタ部材１５の連結片２１をシャッタ部材１５の移動方向下流側から当接する。
【００９３】
そして、ディスクカートリッジ１は、シャッタ解放操作片６３がシャッタ部材１５の連結片２１に当接されることにより、シャッタ部材１５のカートリッジ本体５に対する移動が規制された状態となる。この図１８に示す位置から更にディスクカートリッジ１をカートリッジホルダ５４の内方に向かう矢印Ｅ方向に挿入すると、カートリッジ本体５が矢印Ｅ方向に移動し、図１９に示すように、ヘッド部用開口部１３が開放される。
【００９４】
ディスクカートリッジ１は、シャッタ部材１５の移動が規制された状態で、カートリッジ本体５がヘッド部用開口部１３を開放する図１８中矢印Ｅ方向に移動するとき、図１３及び図１９に示すように、捩りコイルバネ２９が偏倚される。捩りコイルバネ２９は、カートリッジ本体５が図１８中矢印Ｅ方向に移動され、第１のコイル部３０がシャッタ部材１５の移動方向側に位置する支持ピン４２の位置を超える位置まで偏倚されると、付勢方向が反転され、シャッタ部材１５をカートリッジ本体５の移動方向とは逆方向の図１８中矢印Ｆ方向に移動させ、前述した図１３及び図１９に示すように、ヘッド部用開口部１３を開放する。このとき、シャッタ部材１５は、捩りコイルバネ２９によりヘッド部用開口部１３を開放するように付勢されているので、確実にヘッド部用開口部１３を開放した状態に維持する。
【００９５】
なお、ディスクドライブ部７０の先端側コーナ部７０ａの側壁とによって構成される領域Ｒに設けられたイジェクト機構７３は、排出レバー７８が円弧状部７に押圧され、付勢部材の付勢力に対抗してディスクカートリッジ１の挿入方向の先端側に回動される。排出レバー７８は、規制レバー７９によって排出方向への回動が規制され、ディスクカートリッジ１をディスクドライブ部７０内に保持する。
【００９６】
上述のような操作をもってヘッド部用開口部１３が開放されてカートリッジホルダ５４に挿入されたディスクカートリッジ１は、ディスクドライブ装置５０内に設けられたディスクドライブ部７０に位置決めして装着される。このとき、光ディスク２は、ディスクドライブ部７０に突設されている複数の位置決め突起によって垂直方向及び水平方向に位置決めされて装着される。そして、ディスク回転駆動機構７１及び光ピックアップ部７２を駆動することによって、光ディスク２に記録されたプログラムデータが再生され、プログラムが実行される。
【００９７】
そして、光ディスク２の再生を行った後、ディスクドライブ装置５０に装着されたディスクカートリッジ１をイジェクトするには、イジェクトボタン５５を操作することによって行われる。イジェクトボタン５５が操作されると、イジェクト機構７３の規制レバー７９による規制が解除され、排出レバー７８が回動自在とされる。これにより排出レバー７８は、付勢部材の付勢力によってディスクカートリッジ１の排出方向へ回動され、ディスクカートリッジ１のイジェクト操作が実行される。イジェクト操作が実行されると、更なる詳細な説明は省略するが、図示しない係止部材がシャッタ部材１５の支持部１７に設けられた係合孔に係合することによりシャッタ部材１５の移動を規制し、上述した動作とは逆の動作をもってシャッタ部材１５がカートリッジ本体５に対し相対移動され、付勢方向が閉塞方向に反転された捩りコイルバネ２９によってヘッド部用開口部１３を閉塞する。このシャッタ部材１５の閉塞位置への移動動作とともにカートリッジ挿脱口５３からの排出が行われ、ディスクドライブ装置５０に装着されたディスクカートリッジ１のイジェクト操作が完了する。
【００９８】
このシャッタ部材１５の開閉動作時において、捩りコイルバネ２９とシャッタ部材１５とは、上述したように、捩りコイルバネ２９の第１のアーム２９ａに形成された係止部３３の先端がコ字状に折り曲げられるとともに、折り曲げ部３３ｃが第１のアーム２９ａの延設方向と所定の角度を有して形成されることにより、折り曲げ部３３ｃがコイルバネ取付片２６の下面側に延設されているため、シャッタ部材１５の開閉動作中に捩りコイルバネ２９又はシャッタ部材１５が図１１中矢印Ｈ方向に揺動された場合にも、折り曲げ部３３ｃがコイルバネ取付片２６の下面部に当接するため、捩りコイルバネ２９とシャッタ部材１５との係合が外れることが防止される。
【００９９】
以上、ディスクカートリッジ１の前面に円弧状部７を形成するとともに、この円弧状部７のカートリッジ本体５の挿入方向の先端領域７ａに傾斜面部１４を設けた実施例について説明したが、本発明に係るディスクカートリッジは、図２０に示すように、円弧状部７の全体に傾斜面部８０を形成してもよい。これにより、カートリッジ本体５がカートリッジ挿脱口５３の幅方向の中心線Ｐ１に対し幅方向の中心線Ｐ２を大きく傾斜して挿入され、かつカートリッジホルダ５４に対して厚さ方向に傾いて挿入された場合でも、円弧状部７とスピンドルモータ７５等の構成部材との衝突を回避することができる。
【０１００】
また、ディスクカートリッジ１は、図２１に示すように、傾斜面部８２をカートリッジ本体５の上面部５ｂにかけて形成し、また、図２２に示すように、傾斜面部１４及び８２をカートリッジ本体５の下面部５ａ及び上面部５ｂにかけて形成してもよい。これにより、カートリッジ本体５がカートリッジホルダ５４に対して厚さ方向のいずれに傾いて挿入された場合にも、円弧状部７とスピンドルモータ７５等のディスクドライブ部７０の下面部の構成部材やディスクドライブ部７０の上面部の構成部材との衝突を回避することができる。
【０１０１】
ところで、上述したようにディスク記録及び／又は再生装置への挿入端側に傾斜面部１４を設けたディスクカートリッジ１は、図２３に示すように、回転操作されてディスクカートリッジ１の装脱を行うカートリッジホルダ９１を備えたディスク記録及び／又は再生装置の薄型化に寄与することができる。
【０１０２】
回転型のカートリッジホルダ９１を備えたディスク記録及び／又は再生装置は、図２３に示すように、ベース９２を備え、このベース９２にディスクドライブ部を構成するディスク回転駆動部９３及び図示しない光ピックアップ部を配置している。
【０１０３】
ディスク回転駆動部９３は、カートリッジホルダ９１に挿入保持されたディスクカートリッジ１に収納された光ディスク２が位置決めされて装着されるターンテーブル９４と、このターンテーブル９４を回転駆動するスピンドルモータ９５とを備える。カートリッジホルダ９１に挿入保持されたディスクカートリッジ１に収納された光ディスク２は、ターンテーブル９４に装着され、スピンドルモータ９５が回転駆動されることによって線速度を一定にし若しくは線速度を一定にして回転駆動される。
【０１０４】
また、光ピックアップ部は、ディスク回転駆動部９３により回転駆動される光ディスク２の内外周に亘って移動操作される。そして、ディスク回転駆動部９３により回転駆動される光ディスク２は、光ピックアップ部から出射される光ビームにより信号記録領域が走査されることによって情報信号の記録又は再生が行われる。
【０１０５】
上述のようにディスク回転駆動部９３及び光ピックアップ部が配置されたベース９２上には、ディスクカートリッジ１が装着されるカートリッジ装着部９６が設けられている。カートリッジ装着部９６には、ディスクカートリッジ１に設けた第１及び第２の位置決め穴４３，４４に係合し、ディスクカートリッジ１の装着位置を位置決めする位置決めピン９７が設けられている。
【０１０６】
ディスクカートリッジ１を保持し、カートリッジ装着部９６にディスクカートリッジ１を装着操作するカートリッジホルダ９１は、本発明に係るディスクカートリッジ１を保持するに足る大きさを有する矩形状に形成され、天板９８の相対向する両側には断面Ｌ字状に形成したカートリッジ支持部９９が設けられている。このカートリッジホルダ９１の開放された前面側は、カートリッジ挿脱口１１１とされている。本発明に係るディスクカートリッジ１は、前面側の部７を挿入端として、カートリッジ挿脱口１１１からカートリッジホルダ９１に挿脱される。
【０１０７】
このカートリッジホルダ９１は、カートリッジ挿脱口１１１が設けられた前面側に対向する背面側の両側に設けた支軸１１２を介してベース７２に回動可能に支持されている。
【０１０８】
本例のディスク記録及び／又は再生装置に用いられるカートリッジホルダ９１には、図示はしないが、このカートリッジホルダ９１にディスクカートリッジ１が挿入される際、シャッタ部材１５を移動操作してヘッド部用開口部１３を開放操作するシャッタ開放操作機構が設けられている。したがって、ディスクカートリッジ１は、カートリッジホルダ９１に挿入操作され際、シャッタ部材１５の移動操作が行われ、ヘッド部用開口部１３が開放される。
【０１０９】
そして、カートリッジホルダ９１に対するディスクカートリッジ１の挿脱は、カートリッジホルダ１０２を図２３に示すように、ベース９２の上方側に回動させた状態で行われる。ディスクカートリッジ１は、カートリッジホルダ９１に挿入保持された状態でカートリッジホルダ９１とともにベース９２側に回動されることにより、第１及び第２の位置決め穴４３，４４を位置決めピン９７に係合させることによりカートリッジ装着部９６に位置決めして装着される。
【０１１０】
ここで、ディスクカートリッジ１がカートリッジ装着部９６に相着されると、ディスクカートリッジ１に収納された光ディスク２は、センター穴１１をターンテーブル９４のディスク載置面側に突設したセンタリング部９４ａに係合させることによってターンテーブル９４に位置決めされて装着され、ターンテーブル９４と一体に回転するように装着される。ターンテーブル９４に装着された光ディスク２は、ターンテーブル９４とともに一体に回転操作され、光ピックアップ部から出射される光ビームにより信号記録領域が走査されることにより情報信号の記録又は再生が行われる。
【０１１１】
ところで、本例のディスク記録及び／又は再生装置は、カートリッジホルダ９１がディスクドライブ部を構成するディスク回転駆動部９３から離間した上昇位置に回動された状態において、このカートリッジホルダ９１にディスクカートリッジ１を挿入していくとき、ディスク回転駆動部９３の一部が、図２４に示すように、ディスクカートリッジ１の挿入端側の傾斜面部１４を形成するために設けられた切り欠き部の領域内に臨むように配置されいる。
【０１１２】
すなわち、本発明に係るディスクカートリッジ１が用いられるディスク記録及び／又は再生装置は、ディスクカートリッジ１の挿脱位置に回動され、ディスクドライブ部に対し傾斜した状態にカートリッジホルダ９１にディスクカートリッジ１を挿入していくとき、ディスクカートリッジ１の挿入端側に傾斜面部１４を設けるために形成された切り欠き部の領域内にディスク回転駆動部９３の上端側のターンテーブル９４の一部が位置するようにするようにしたものである。
【０１１３】
このように、ディスク回転駆動部９３を配置することにより、ディスク回転駆動部９３の設置高さを抑えることができ、回動型のカートリッジホルダ９１を用いたディスク記録及び／又は再生装置自体の薄型化を実現することができる。
【産業上の利用可能性】
【０１１４】
以上のように、本発明に係るディスクカートリッジについて、挿入端側を半円状に形成し、小型化を図ったディスクカートリッジに適用した例を挙げて説明したが、本発明は、上述したディスクカートリッジに限られるものではなく、カートリッジ本体の上下の両面に記録及び／又は再生用の開口部を設けたディスクカートリッジにそのまま適用し、上述したディスクカートリッジと同様の利点を得ることができる。
【０１１５】
すなわち、本発明は、カートリッジ本体に設けられた記録及び／又は再生用の開口部を開閉するシャッタ部材を備えたディスクカートリッジに広く適用できるものである。
【図面の簡単な説明】
【０１１６】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジの下ハーフ側から見た平面図である。
【図４】カートリッジホルダ内に厚さ方向へ傾いて挿入されたディスクカートリッジを示す側面図である。
【図５】ディスクカートリッジをディスクドライブ装置に内に挿入する際の平面図である。
【図６】シャッタ部材とこのシャッタ部材が支持されるカートリッジ本体を示す斜視図である。
【図７】シャッタ部材と、このシャッタ部材に取り付けられる捩りコイルバネを示す斜視図である。
【図８】本発明に係るディスクカートリッジのシャッタ部材が取り付けられた側の側面を示す側面図である。
【図９】カートリッジ本体にシャッタ部材を取り付けた状態を示す断面図である。
【図１０】シャッタ部材を付勢する捩りコイルバネを示す平面図である。
【図１１】シャッタ部材に係止された捩りコイルバネを示す斜視図である。
【図１２】シャッタ部材がヘッド部用開口部を閉塞しているディスクカートリッジを示す平面図である。
【図１３】シャッタ部材がヘッド部用開口部を開放しているディスクカートリッジを示す平面図である。
【図１４】本発明に係るディスクカートリッジが用いられるディスクドライブ装置の一例を示す斜視図である。
【図１５】ディスクドライブ部を示す平面図である。
【図１６】ディスクカートリッジがディスクドライブ装置のカートリッジ挿脱口に対し傾斜して挿入される状態を示す平面図である。
【図１７】ディスクカートリッジがディスクドライブ装置のカートリッジ挿脱口に対し他の方向に傾斜して挿入される状態を示す平面図である。
【図１８】ディスクカートリッジが姿勢が制御されてカートリッジホルダに挿入された状態を示す平面図である。
【図１９】ディスクカートリッジがカートリッジホルダに挿入され、シャッタ部材が移動されヘッド部用開口部が開放された状態を示す平面図である。
【図２０】円弧状部の全体に亘って傾斜面部を形成したディスクカートリッジを示す斜視図である。
【図２１】傾斜面部をカートリッジ本体の上面部にかけて形成したディスクカートリッジを示す斜視図である。
【図２２】傾斜面部をカートリッジ本体の下面部及び上面部にかけて形成したディスクカートリッジを示す側面図である。
【図２３】回動型のカートリッジホルダを用いたディスク記録及び／又は再生装置に本発明に係るディスクカートリッジを挿入する状態を示す側面図である。
【図２４】回動型のカートリッジホルダを用いたディスク記録及び／又は再生装置に本発明に係るディスクカートリッジを挿入する途中の状態を示す側面図である
【図２５】従来のディスクカートリッジを示す斜視図である。
【図２６】ディスクカートリッジをディスクドライブ装置に内に挿入する際の平面図である。
【図２７】ディスクカートリッジをディスクドライブ装置に内に挿入する際の側面図である。
【符号の説明】
【０１１７】
１  ディスクカートリッジ、２  光ディスク、３  上ハーフ、４  下ハーフ、５  カートリッジ本体、７  円弧状部、７ａ  先端領域、８  シャッタ部材が支持される側の側面、１３  ヘッド部用開口部、１４  傾斜面部、１５  シャッタ部材、１７  支持部、１８  スライドガイド部、２９  捩りコイルバネ、５０  ディスクドライブ装置、５１  装置本体、５３  カートリッジ挿脱口、５４  カートリッジホルダ、５５  イジェクトボタン、６３  シャッタ開放操作片、７０  ディスクドライブ部、７１  ディスク回転駆動機構、７２  光ピックアップ部、７３  イジェクト機構
【図１】
2005259324.tif 000003
【図２】
2005259324.tif 000004
【図３】
2005259324.tif 000005
【図４】
2005259324.tif 000006
【図５】
2005259324.tif 000007
【図６】
2005259324.tif 000008
【図７】
2005259324.tif 000009
【図８】
2005259324.tif 000010
【図９】
2005259324.tif 000011
【図１０】
2005259324.tif 000012
【図１１】
2005259324.tif 000013
【図１２】
2005259324.tif 000014
【図１３】
2005259324.tif 000015
【図１４】
2005259324.tif 000016
【図１５】
2005259324.tif 000017
【図１６】
2005259324.tif 000018
【図１７】
2005259324.tif 000019
【図１８】
2005259324.tif 000020
【図１９】
2005259324.tif 000021
【図２０】
2005259324.tif 000022
【図２１】
2005259324.tif 000023
【図２２】
2005259324.tif 000024
【図２３】
2005259324.tif 000025
【図２４】
2005259324.tif 000026
【図２５】
2005259324.tif 000027
【図２６】
2005259324.tif 000028
【図２７】
2005259324.tif 000029